(57)【要約】【課題】設計データを利用するＨＩデータ作成装置を用いて作成した設計シートにおいて、枠内で空きの設定、削除、移動が容易できることか要望されている。【解決手段】ディスプレイ上に表示された可変データ設定シートに対し、空きの設定機能、空きの削除機能及びデータの移動機能を持たせる。空きの設定機能は、表示された可変データ設定シートの当該フォーマットデータ上にカーソルを移動してカーソルの位置以降のデータを取得する。最終位置にデータが存在していない場合、カーソルの位置以降のデータを全て１つ下に移動し、最終データの設定位置が頁数の次の位置でない場合には終了する。最終データの設定位置が頁数の次の場合に次頁の開始位置に最終データを設定して頁数を更新する。【選択図】  図３
2018097548.tif 000002
【特許請求の範囲】
【請求項１】
ヒューマンインターフェースのデータの送受信を模擬し、画面表示の図面データ化を行う画面設計ツールと、ＨＩ画面の画面構成枠と同様のフォーマットの可変データ設定シートをディスプレイ上に表示し、この設定シートには各種項目のデータを順次書込み、または他のデータのコピーと編集で可変データ設定を行う可変データ設計ツールを有するヒューマンインターフェースのデータ作成装置において、
前記ディスプレイ上に表示された可変データ設定シートに対し、画面構成枠内での空きの設定機能、空きの削除機能及びデータの移動機能を持たせたことを特徴とするヒューマンインターフェースのデータ作成装置。
【請求項２】
前記空きの設定機能は空き設定操作用キーボードを備え、表示された可変データ設定シートの当該フォーマットデータ上にカーソルを移動してカーソルの位置以降のデータを取得し、最大頁の最終位置にデータが存在していない場合に、カーソルの位置以降のデータを全て１つ下に移動し、最終データの設定位置が頁数の次の位置でない場合には終了し、最終データの設定位置が頁数の次の場合には次頁の開始位置に最終データを設定して頁数を更新し、
前記空きの削除機能は空き削除用キーボードを備え、表示された可変データ設定シートの当該フォーマットデータ上にカーソルを移動し、カーソルの位置にデータ存在の場合には処理終了し、最終頁の先頭のみにデータが存在する場合には頁数を１つ減らしてカーソルの位置以降のデータを全て１つ上に移動し、
前記データの移動機能は移動データ選択用キーボードと移動先データ設定用キーボードを備え、移動データ選択用キーボードで移動データの選択範囲を記憶し、移動先データ設定用キーボード操作で移動データを設定することを特徴とした請求項１記載のヒューマンインターフェースのデータ作成装置。
【発明の詳細な説明】
【技術分野】
【０００１】
本発明は、ヒューマンインターフェースのデータ作成装置に係わり、特にフォーマットが異なっている場合でも同一の操作で空きの設定、削除、移動を容易にしたデータ作成装置に関するものである。
【背景技術】
【０００２】
ディジタル形保護継電システムやディジタル形監視システムなど、コンピュータシステムで構築されるシステムには、ヒューマンインターフェース（以下ＨＩという）が実装されており、このＨＩにはシステムに専用の表示／操作部が個々に設計される。図８は特許文献１に記載されたデータ作成装置の要部構成図を示したものである。
【０００３】
実機のＨＩ画面構成の設計はＣＡＤ画面を基に画面描画プログラムを使ってＨＩ画面を設計する。データ作成装置としてはパソコンを使用し、このパソコンはソフトウェアとして少なくとも画面設計ツール１と可変データ設計ツール２を搭載し、データとして可変データ設定シート３とＨＩ画面データファイル４を設け、パソコンの付属装置であるディスプレイ５やキーボード６、マウス７を設計者に対する入出力手段として利用する。
【０００４】
画面設計ツール１は装置が持つＨＩのデータの送受信を模擬し、ディスプレイ５にはＨＩ画面を表示する。さらに、画面設計ツール１は画面表示の図面データ化を行い、ＨＩ画面データファイル４に保存する。これら一連の処理は、設計者によるマウス操作やキーボード操作と、ディスプレイ５での表示というパソコンが搭載するＨＩを利用できる。
【０００５】
可変データ設計ツール２は、ＨＩ画面の画面構成枠と同様のフォーマットの可変データ設定シートをディスプレイ５上に表示し、この設定シートには各種項目のデータを順次書込み、またはＣＡＤ図面など他のデータのコピーと編集で設定し、その後、設計者が設定ボタンをクリックすることで、各設定データが画面構成データとリンクさせた可変データがＨＩ画面データファイル４に格納される。
【先行技術文献】
【特許文献】
【０００６】
【特許文献１】特開２００９−２１９２４５
【発明の概要】
【発明が解決しようとする課題】
【０００７】
特許文献１で示す設計データを利用するＨＩデータ作成装置を用いて作成した設計シートにおいて、例えば、図表枠内への空きの挿入や枠内データの入替えなどが生じた場合、そのデータの並び替えに時間がかかる場合がある。
【０００８】
本発明が目的とするところは、枠内における空きの設定、削除、移動が容易となるＨＩデータ作成装置を提供することにある。
【課題を解決するための手段】
【０００９】
本発明は、ヒューマンインターフェースのデータの送受信を模擬し、画面表示の図面データ化を行う画面設計ツールと、ＨＩ画面の画面構成枠と同様のフォーマットの可変データ設定シートをディスプレイ上に表示し、この設定シートには各種項目のデータを順次書込み、または他のデータのコピーと編集で可変データ設定を行う可変データ設計ツールを有するヒューマンインターフェースのデータ作成装置において、
前記ディスプレイ上に表示された可変データ設定シートに対し、画面構成枠での空きの設定機能、空きの削除機能及びデータの移動機能を持たせたものである。
【００１０】
本発明の空きの設定機能は、空き設定操作用キーボードを備え、表示された可変データ設定シートの当該フォーマットデータ上にカーソルを移動してカーソルの位置以降のデータを取得し、最大頁の最終位置にデータが存在していない場合に、カーソルの位置以降のデータを全て１つ下に移動し、最終データの設定位置が頁数の次の位置でない場合には終了し、最終データの設定位置が頁数の次の場合には次頁の開始位置に最終データを設定して頁数を更新し、
空きの削除機能は、空き削除用キーボードを備え、表示された可変データ設定シートの当該フォーマットデータ上にカーソルを移動し、カーソルの位置にデータ存在の場合には処理終了し、最終頁の先頭のみにデータが存在する場合には頁数を１つ減らしてカーソルの位置以降のデータを全て１つ上に移動し、
前記データの移動機能は移動データ選択用キーボードと移動先データ設定用キーボードを備え、移動データ選択用キーボードで移動データの選択範囲を記憶し、移動先データ設定用キーボード操作で移動データを設定する。
【発明の効果】
【００１１】
以上のとおり、本発明によれば、ヒューマンインターフェースのデータ作成装置において、空きの設定、削除、移動の各機能を備えたことにより、フォーマットの可変データ設定シートをディスプレイ上に表示しながら空きの設定、削除、移動が容易にとなるため、ＨＩデータの作成時の配置作業の効率化が図られる。また、新しいフォーマットの画面が追加された場合でもフォーマット情報を設定することにより柔軟な対応が可能となる。
【図面の簡単な説明】
【００１２】
【図１】本発明の実施形態を示す強制動作の設定例図。
【図２】本発明の実施形態を示す空き設定操作後の強制動作の設定例図。
【図３】空き設定の制御プログラムのフローチャート。
【図４】本発明の実施形態を示す空き削除の強制動作の設定例図。
【図５】本発明の実施形態を示す空き操作後の強制動作の設定例図。
【図６】本発明の実施形態を示すデータ移動後の強制動作の設定例図。
【図７】本発明の実施形態を示すオシロ選択（設定シート）例図。
【図８】データ作成装置の要部構成図。
【発明を実施するための形態】
【００１３】
（１）空きの設定操作について
ＨＩデータ作成装置ではイメージを合致させるために、設定フォーマットを実際のＨＩ画面のフォーマットに類似させている。図１はディジタル形保護継電システムの強制動作の図面データ自動設定後の設定シートの例である。図面データは図８で示すＨＩデータ作成装置により自動設定されるが、各データのレイアウトは各ページの枠内においてそれぞれ詰まった状態で配列される。
【００１４】
この状態で画面構成枠内での見栄えや操作性などを考慮してデータの移動を考えたとき、例えば、２頁−２列−２行目の「４４ＳＭ」からは機能が異なることから、「４４ＳＭ」以降の順序はそのままとして３列目の先頭に移動させたい要求が生じる。その場合には以下の操作により移動させる。
ａ．「４４ＳＭ」にカーソルを移動する。
ｂ．空き設定操作用のキーボード「ＣＴＲＬ＋ｄ」を３回押下する。
【００１５】
図２は、図１で示す画面の距離リレー表示の「４４ＳＭ」が３列目の先頭に移動し、且つ「４４ＳＭ」以降の順序はそのままとなっている状態を示したものである。
【００１６】
図３は、空き設定操作用のキーボード「ＣＴＲＬ＋ｄ」押下時の制御プログラムのフローチャートの概要を示したものである。各設定の開始位置、１頁あたりの行数／列数、およびデータ部の位置情報などがデータ化されてＨＩ画面データファイル４に格納されていることから、異なるフォーマットでも共通の操作で行うことができる。また、新規のフォーマットが追加された場合でも柔軟に対応することができる。
【００１７】
図３において、ステップＳ１でカーソル位置情報を取得し、Ｓ２で設定名称に該当するフォーマット情報をＨＩ画面データファイル４から取得する。Ｓ３では取得したカーソルの位置がデータ部か否かが判断され、データ部でない場合にはエラーメッセージを表示する。データ部であった場合には、Ｓ４でカーソルの位置以降のデータを取得し、Ｓ５でそのデータは最大頁の最終位置にデータが存在するか否かが判断される。存在している場合にはエラーメッセージを表示する。
【００１８】
Ｓ５でデータが最大頁の最終位置に存在していない場合、Ｓ６でカーソルの位置以降のデータを全て１つ下に移動（最終データ以外）し、Ｓ７で最終データの設定位置が頁数の次か否かが判断される。次でない場合、空きの設定は終了するが、最終データの設定位置が頁数の次の場合にはS８で次頁の開始位置に最終データを設定して頁数を更新する。
（２）空きの削除について
図１で示す図面データ自動設定後において、例えば空き設定操作用のキーボード「ＣＴＲＬ＋ｄ」を３回押下すべきところ、誤って「ＣＴＲＬ＋ｄ」を４回押下した場合、図４で示すように「４４ＳＭ」の位置が２頁−３列−２行目に移動して３列−１行目に空きができる。このような場合３列−１行目の空きを削除する必要が生じる。その場合には以下の操作により空き削除により「４４ＳＭ」の位置を移動する。
ｃ．空きの部分にカーソルを移動する（空きの設定操作直後ではそのままとする）。
ｄ．空き削除用キーボード「ＣＴＲＬ＋ｕ」を１回押下する。
【００１９】
これにより、「４４ＳＭ」の位置は図２で示す３列目の先頭に移動し、以降の順序はそのままとなる。なお、データが存在する箇所ではｃ．ｄの操作を行った場合は無効となる。
【００２０】
空き削除の「ＣＴＲＬ＋ｕ」の制御プログラムのフローチャートは、図３で示す「ＣＴＲＬ＋ｄ」と略同じであるが、次の点が異なる。
・図３で示すステップＳ３で、データ部がカーソルの移動位置に存在する場合には処理を中止する。
・ステップＳ３で、最終頁の先頭のみにデータが存在する場合には頁数を１つ減らす。
・カーソルの位置以降のデータを全て１つ上に移動する。
（３）データの移動操作について
図５で示す、例えば２頁ー４列ー２行の「４４Ｓ×１」と３行の「４４Ｓ×２」の位置を、３列ー１行の「４４ＳＭ」の先頭に移動したい場合には、以下の操作により容易に移動できる。
ｅ．「４４Ｓ×１」と「４４Ｓ×２」を選択する。
ｆ．移動データ選択用キーボード「ＣＴＲＬ＋ｃ」を押下する。
ｇ．「４４ＳＭ」にカーソルを移動する。
ｈ．移動先データ設定用キーボード「ＣＴＲＬ＋ｊ」を押下する。
これにより、図６で示すように「４４Ｓ×１」と「４４Ｓ×２」は「４４ＳＭ」の前に移動し、以降の順序はそのままとなる。
【００２１】
なお、データ移動「ＣＴＲＬ＋ｃ」と「ＣＴＲＬ＋ｊ」の制御プログラムにおいて、「ＣＴＲＬ＋ｃ」ついては、
・移動データの選択範囲を記憶する。
「ＣＴＲＬ＋ｊ」については、
・移動データを取得し、移動元のデータを削除する。
・移動元の空きデータ数分「ＣＴＲＬ＋ｕ」の操作で削除する。
・移動先にデータ数分「ＣＴＲＬ＋ｄ」の操作で追加する。
・移動データを設定する。
（４）操作方法の共通化について
図７はＨＩ画面の設定フォーマットの選択例（オシロ）を示したものである。図７は図１等で示したフォーマットとは異なるが、空きの設定、削除、移動は同一の操作で行える。オシロ選択の他に整定値入力、整定値一覧、試験設定、計測表示、リレー動作、異常表示などのフォーマットが異なる設定がＨＩに存在するが、全て同一の操作で実行できる。
（５）頁数増減について
本発明の操作による空きの設定、削除により頁数は増減するが、画面設計ツールまたは可変データ設計ツールにより自動的に設定される。
【００２２】
以上本発明によれば、空きの設定、削除、移動が容易となるため、ＨＩデータの作成時の配置作業の効率化が図られる。
【符号の説明】
【００２３】
１…  画面設計ツール
２…  可変データ設計ツール
３…  設定シート
４…  ＨＩ画面データファイル
５…  ディスプレイ
６…  キーボード
７…  マウス
【図１】
2018097548.tif 000003
【図２】
2018097548.tif 000004
【図３】
2018097548.tif 000005
【図４】
2018097548.tif 000006
【図５】
2018097548.tif 000007
【図６】
2018097548.tif 000008
【図７】
2018097548.tif 000009
【図８】
2018097548.tif 000010